(57)【要約】【課題】  縦框、横框、額縁間の目地溝を形成する際、目地溝を挟んで対向する縦框と横框との間や縦框及び横框と額縁の間の段差を有効に防止し、さらに、縦框、横框と額縁間の目隙、横框の短手方向の左右両端部と縦框との目隙を有効に防止し、仕上がり精度及び外観的にも優れ、しかも、製造が容易な額縁構造戸板を安価に提供する。【解決手段】  額縁構造戸板において、縦框、横框の表面化粧板の額縁側端面及び縦框の表面化粧板の横框側の端面に表面側からの切欠段部による下側突出部を形成し、その先端部に第１傾斜面を形成し、額縁及び横框の縦横框側端面に表面側からの切欠段部による下側突出部を形成し、その先端部に第１傾斜面と略平行する第２傾斜面を形成し、前記第１傾斜面と第２傾斜面とが互いに当接し、前記下側突出部の表面を溝底部とする凹状溝を形成するようにした。【選択図】        図４
2007056510.tif 000002
【特許請求の範囲】
【請求項１】
矩形形状の芯材１の表裏面に、表面化粧板２、３が接着されて、縦框４及び横框５が形成され、該縦框４及び横框５の内周部に前記芯材の一部を突出させ、鏡板８が填め込まれている額縁９で、前記芯材の突出部ＳＴを表裏面から挟持し接着剤で接着し、前記縦框４及び横框５の内周部に前記額縁９を取り付けて構成された額縁構造戸板であって、前記縦框４及び横框５の表面化粧板２、３の額縁９側の端面の表面側に、縦框４及び横框５の長手方向の全長にわたって、切欠段部Ｄ１が形成され、該切欠段部Ｄ１によって薄板部が形成され、該薄板部によって、第１下側突出部Ｔ１が形成され、該第１下側突出部Ｔ１の表面側の突出長さが、芯材側の突出長さよりも長くなる向きに、前記第１下側突出部Ｔ１の先端部に第１傾斜面Ｓ１が形成されており、前記額縁９は、前記縦框４及び横框５側の端面の表面側に、額縁９の全長にわたって、切欠段部Ｄ２が形成され、該切欠段部Ｄ２によって薄板部が形成され、該薄板部によって、第２下側突出部Ｔ２が形成され、該第２下側突出部Ｔ２の先端部に、前記第１傾斜面Ｓ１に略平行な向きに、第２傾斜面Ｓ２が形成されており、さらに、前記縦框４の表面化粧板２の横框５側の端面の表面側に、縦框４の長手方向に、切欠段部Ｄ１１が形成され、該切欠段部Ｄ１１によって薄板部が形成され、該薄板部によって、第１下側突出部Ｔ１１が形成され、該第１下側突出部Ｔ１１の表面側の突出長さが、芯材側の突出長さよりも長くなる向きに、前記第１下側突出部Ｔ１１の先端部に第１傾斜面Ｓ１１が形成されており、前記横框５は、前記縦框４側の端面の表面側に、横框端面の全長にわたって、切欠段部Ｄ１２が形成され、該切欠段部Ｄ１２によって薄板部が形成され、該薄板部によって、第２下側突出部Ｔ１２が形成され、該第２下側突出部Ｔ１２の先端部に、前記第１傾斜面Ｓ１１に略平行な向きに、第２傾斜面Ｓ１２が形成されており、前記第１及び第２の下側突出部Ｔ１とＴ２及びＴ１１とＴ１２は略等しい厚みを有し、前記第１傾斜面Ｓ１、Ｓ１１と第２傾斜面Ｓ２、Ｓ１２とが互いに当接し、前記第１下側突出部Ｔ１、Ｔ１１及び又は前記第２下側突出部Ｔ２、Ｔ１２の表面を溝底部とする凹状溝Ｊ１、Ｊ２が形成されていることを特徴とする額縁構造戸板。
【請求項２】
前記第１傾斜面Ｓ１、Ｓ１１及び第２傾斜面Ｓ２、Ｓ１２の前記芯材と接する側に接着剤溜まり凹部Ｕが設けられていることを特徴とする請求項１に記載の額縁構造戸板。
【発明の詳細な説明】
【技術分野】
【０００１】
本発明は、住宅、住宅機器、家具等に使用される額縁構造をした額縁構造戸板に関する。
【背景技術】
【０００２】
従来、住宅、住宅機器、家具等に使用される戸板として、図６に示すように、縦框４と横框５との内周部に、鏡板８が填め込まれている額縁９が取り付けられた額縁構造戸板がある。
【０００３】
この額縁構造戸板として、図７、図８に示すように、木質の枠材を芯材とし、その芯材の表面及び裏面に表面化粧板２を接着剤で貼着し縦框４を、そして、表面化粧板３を接着剤で接着して横框５を形成し、該縦框４と横框５の内周部に前記芯材の一部を突出させ、鏡板８が填め込まれている額縁９で前記芯材の突出部を表裏面から挟持させ接着剤で接着し、前記縦框４及び横框５の内周部に前記額縁９を取り付けて構成した額縁構造戸板が知られている。この額縁構造の戸板において、戸板の角部分における縦框と横框との接合方法は、主として縦框及び横框を４５度に切断し、該切断箇所を直角に継ぐ、いわゆる、留め継ぎ加工と、矩形からなる縦框及び横框を直角に当接させて継ぐ、いわゆる組み継ぎ加工の二つの種類の継ぎ加工方法が用いられてきた。このようにして四周に２本の縦框及び２本の横框によって矩形形状に組まれた框組みの内部に開口部が形成され、該開口部の外周、すなわち、框組みの内周に沿って設けられた額縁を介して鏡板が填め込まれている。
【０００４】
また、一側縁部を表面側から切欠して所定幅の表向き段部を形成した一対の縦框表面板と、両端縁部を裏面側から切欠して表向き段部の幅よりも小さい幅の裏向き段部を形成した一対の横框表面板とを枠状に配置し、これら表面板を横框表面板の裏向き段部を縦框表面板の表向き段部に重ねて互いに突き合わせるとともに、その突き合わせ部を仮止めして、縦框表面板と横框表面板との境界部の表面に表向き段部と裏向き段部との幅の差に相当する目地溝を形成した木製ドアがある。（例えば、特許文献１参照）。
【０００５】
【特許文献１】特開平５−７１２７２号公報（第２−５頁、第１図、第１２−１４図）。
【発明の開示】
【発明が解決しようとする課題】
【０００６】
木質材料は使用される場所の湿度変化等の環境の影響を受け、その含水率が変動し、収縮や膨張が生じやすい。そのために複数の部材の組み合わせからなる木質建材は部材間に隙間等が発生し易い。
【０００７】
そのため、木質の枠材を芯材とし、その表裏面に木質の表面化粧板からなる框を組み付けて形成し、該框の内部に戸板開口部を設け、さらに、額縁の間に鏡板を挟み込んで、前記框の内周部に、表面裏面から額縁を取り付けてなる額縁構造の戸板が用いられているが、前記額縁構造の戸板において、框と額縁との間は、美観を高め高級感を得るといった意匠的要求や縦框と横框の収縮により外観を損ねることを防止するものとして、縦框横框の額縁側端面に表面側から切欠段部を加工し、該切欠段部によって薄板部を形成し、縦框の長手方向の内側端部と横框の短手方向の左右両端部との間、又縦框と額縁との間、また横框と額縁との間に意図的に目地溝を形成した構成の額縁構造戸板がある。
【０００８】
しかしながら、木質部材の含水率変動による部材伸縮や切欠加工精度不良、組み付け加工精度不良等の影響で、前記薄板部の先端部と額縁との間に、目隙が発生し易く、これが、かえって外観上目立つことになり、仕上がり精度、外観不良の原因となっていた。
【０００９】
そのために、上記、特開平５−７１２７２号公報においては、框接合部において、表面材を構成する縦框表面板と横框表面板とに切欠形成する表向き段部と裏向き段部との幅の差によって縦框表面板と横框表面板との接合部に目地溝を形成する構成を有している。さらに、額縁の外周部においても前記裏向き段部と同寸法の裏向き段部を形成し、縦框と額縁との接合部及び横框と額縁との接合部において、切欠形成する表向き段部と裏向き段部との幅の差によって目地溝が形成されている。
【００１０】
しかも、前記目地溝の幅は、上記表向き段部と裏向き段部との幅の差のみによって決まるので、前記目地溝幅を均一なものとすることができる。さらに、前記したように、目地溝の幅は、上記表向き段部と裏向き段部との幅の差のみによって決まるので、木質材料の含水率変動が原因での伸縮や、加工精度の若干の低下による影響は防止できる。すなわち、縦框、横框と額縁間の目隙、横框の短手方向の左右両端部と縦框との目隙は吸収され、影響を及ぼさない。
【００１１】
しかしながら、上記、特開平５−７１２７２号公報に記載の木製ドアの製造方法では、表面材を構成する縦框表面板と横框表面板とを切欠し、表向き段部と裏向き段部とを形成し、表向き段部と裏向き段部を相じゃくり係合させ、表向き段部と裏向き段部の幅の差によって縦框表面板と横框表面板との接合部に目地溝を形成する構成を有しており、さらに、額縁の外周部においても前記裏向き段部と同寸法の裏向き段部を形成し、縦框と額縁との接合部及び横框と額縁との接合部において、表向き段部と裏向き段部を切欠形成し、切欠形成された表向き段部と裏向き段部との幅の差によって目地溝が形成される構成となっているので、表向き切欠段部によって形成された裏面側薄板部と裏向き段部の厚さ方向の寸法が等しくならないと、精度よく相じゃくり係合させることが困難になるばかりでなく、前記表向き段部と該表向き段部によって形成された裏面側薄板部と裏向き切欠段部及び該裏向き切欠段部によって形成される表面側薄板部の加工精度の誤差が集積され、目地溝を挟んで対向する縦框と横框との間や縦框及び横框と額縁の間に段差が生じて見苦しくなり、このため、前記切欠段部、薄板部等の加工において、厳しい加工精度が要求されるといった問題があった。
【００１２】
また、特に縦框と横框の框どうしの角部の継ぎ目において、框部材間に隙間がなくかつ段差がないことが美観の上から好ましいとされてきた。従って、戸板の角部における縦框と横框との接合部に隙間が生じると美観の面で劣り、商品価値が低下する。
【００１３】
また、上記、特開平５−７１２７２号公報に記載の木製ドアの製造方法では、芯材の表裏面に表面化粧板を接着剤で接着して縦框及び横框を形成し、該縦框及び横框の内周部に芯材の一部を突出させ鏡板が填め込まれている額縁で、前記芯材の突出部を表裏面から挟持させ、接着剤で接着し、前記縦框及び横框の内周部に前記額縁を取り付けているが、その際の接着剤の塗布量を厳密に管理しないで塗布量にバラツキがでると、余剰の接着剤が接合部から溢れ出すことがあり、仕上がり外観上大変見苦しいものとなるといった問題があった。
【００１４】
本発明は、上述した事情に鑑みてなされたもので、本発明の目的は、目地溝を挟んで対向する縦框と横框との間や縦框及び横框と額縁の間の段差を有効に防止し、さらには、縦框、横框と額縁間の目隙、横框の短手方向の左右両端部と縦框との間の目隙を有効に防止し、仕上がり精度及び外観的にも優れ、しかも、製造が容易で安価に得ることができる額縁構造戸板を提供することにある。
【００１５】
本発明の他の目的は、芯材と表面化粧板との接合部や縦框及び横框と額縁との接合部から、余剰の接着剤が溢れ出すことが防止でき、仕上がり外観的にも優れた額縁構造の戸板を安価に提供することを目的とする。
【課題を解決するための手段】
【００１６】
上記の目的を達成するためになされた請求項１に記載の額縁構造戸板は、矩形形状の芯材１の表裏面に、表面化粧板２、３が接着されて、縦框４及び横框５が形成され、該縦框４及び横框５の内周部に前記芯材の一部を突出させ、鏡板８が填め込まれている額縁９で、前記芯材の突出部ＳＴを表裏面から挟持し接着剤で接着し、前記縦框４及び横框５の内周部に前記額縁９を取り付けて構成された額縁構造戸板であって、前記縦框４及び横框５の表面化粧板２、３の額縁９側の端面の表面側に、縦框４及び横框５の長手方向の全長にわたって、切欠段部Ｄ１が形成され、該切欠段部Ｄ１によって薄板部が形成され、該薄板部によって、第１下側突出部Ｔ１が形成され、該第１下側突出部Ｔ１の表面側の突出長さが、芯材側の突出長さよりも長くなる向きに、前記第１下側突出部Ｔ１の先端部に第１傾斜面Ｓ１が形成されており、前記額縁９は、前記縦框４及び横框５側の端面の表面側に、額縁９の全長にわたって、切欠段部Ｄ２が形成され、該切欠段部Ｄ２によって薄板部が形成され、該薄板部によって、第２下側突出部Ｔ２が形成され、該第２下側突出部Ｔ２の先端部に、前記第１傾斜面Ｓ１に略平行な向きに、第２傾斜面Ｓ２が形成されており、さらに、前記縦框４の表面化粧板２の横框５側の端面の表面側に、縦框４の長手方向に、切欠段部Ｄ１１が形成され、該切欠段部Ｄ１１によって薄板部が形成され、該薄板部によって、第１下側突出部Ｔ１１が形成され、該第１下側突出部Ｔ１１の表面側の突出長さが、芯材側の突出長さよりも長くなる向きに、前記第１下側突出部Ｔ１１の先端部に第１傾斜面Ｓ１１が形成されており、前記横框５は、前記縦框４側の端面の表面側に、横框端面の全長にわたって、切欠段部Ｄ１２が形成され、該切欠段部Ｄ１２によって薄板部が形成され、該薄板部によって、第２下側突出部Ｔ１２が形成され、該第２下側突出部Ｔ１２の先端部に、前記第１傾斜面Ｓ１１に略平行な向きに、第２傾斜面Ｓ１２が形成されており、前記第１及び第２の下側突出部Ｔ１とＴ２及びＴ１１とＴ１２は略等しい厚みを有し、前記第１傾斜面Ｓ１、Ｓ１１と第２傾斜面Ｓ２、Ｓ１２とが互いに当接し、前記第１下側突出部Ｔ１、Ｔ１１及び又は前記第２下側突出部Ｔ２、Ｔ１２の表面を溝底部とする凹状溝Ｊ１、Ｊ２が形成されていることを特徴としている。
【００１７】
このような構成を有する本発明によれば、目地溝を挟んで対向する縦框と横框との間や縦框及び横框と額縁の間の段差を有効に防止し、さらには、縦框、横框と額縁間の目隙、横框の短手方向の左右両端部と縦框との間の目隙を有効に防止し、仕上がり精度及び外観的にも優れ、しかも、製造が容易で安価に得ることができる額縁構造戸板を提供することができる。
【００１８】
請求項２に記載の額縁構造戸板は、請求項１に記載の額縁構造戸板において、前記第１傾斜面Ｓ１、Ｓ１１及び第２傾斜面Ｓ２、Ｓ１２の前記芯材と接する側に接着剤溜まり凹部Ｕが設けられていることを特徴としている。
【００１９】
このような構成を有する本発明によれば、芯材と表面化粧板との接合部や縦框及び横框と額縁との接合部から、余剰の接着剤が溢れ出すことを防止でき、仕上がり外観的にも優れた額縁構造の戸板を安価に提供することができる。
【発明の効果】
【００２０】
請求項１によれば、前記縦框及び横框の第１突出部による第１傾斜面と、前記額縁及び横框の短手方向の左右両端面の第２突出部による第２傾斜面とを当接させ、前記第１突出部及び又は前記第２突出部の表面を溝底部とする凹状溝による目地溝を形成するようにし、相じゃくり構造としないので、目地溝を挟んで対向する縦框と横框との間や縦框及び横框と額縁の間の段差を有効に防止し、さらには、前記第１、第２傾斜面が傾斜状態で当接しているので、該傾斜当接面で伸縮が生じても、目隙が目立ちにくく、木質材料の含水率変動による伸縮によって生じる恐れのある縦框、横框と額縁との間の目隙及び、縦框と横框との間の目隙を有効に防止でき、仕上がり精度及び外観的にも優れ、しかも、製造が容易な額縁構造戸板を安価に提供することができる。
【００２１】
請求項２によれば、前記第１傾斜面及び第２傾斜面の前記芯材と接する側に接着剤溜まり凹部が設けられているので、芯材と表面化粧板との接合部や縦框及び横框と額縁との接合部から、余剰の接着剤が溢れ出すことを防止でき、仕上がり外観的にも優れた額縁構造の戸板を安価に提供することができる。
【発明を実施するための最良の形態】
【００２２】
以下、本発明に係る額縁構造戸板を実施するための最良の形態を図面により詳細に説明する。図１〜図５は本発明に係る額縁構造戸板の実施形態の一例を示したもので、図１は本例の額縁構造戸板の正面図、図２は本例の額縁構造戸板の芯材を示す平面図、図３は図１のＡ−Ａ線拡大断面図、図４は図１のＢ−Ｂ線拡大断面図、図５は図１のＣ−Ｃ線拡大断面図である。
【００２３】
本例における額縁構造戸板は、矩形形状の芯材１の表裏面に、表面化粧板２が接着剤により接着されて縦框４が形成され、表面化粧板３が接着剤で接着されて横框５が形成されている。また、前記芯材１は、図２に示すように、縦芯材６と横芯材７で構成され、前記縦芯材６は内周側縦芯材６ａと外周側縦芯材６ｂで構成され、前記横芯材７は内周側横芯材７ａと外周側横芯材７ｂで構成されている。
【００２４】
前記縦框４の表面化粧板２は、縦芯材６に、内周側縦芯材６ａと外周側縦芯材６ｂに跨り、且つ、表面化粧板２の内周部において、縦框４から内周側縦芯材６ａの一部を突出させるようにして接着され、芯材突出部ＳＴが形成されている。また、前記横框５の表面化粧板３も、横芯材７に、内周側横芯材７ａと外周側横芯材７ｂに跨り、且つ、表面化粧板３の内周部において、横框５から内周側横芯材７ａの一部を突出させるようにして接着され、芯材突出部ＳＴが形成されている。
【００２５】
前記額縁９は、額縁部材９ａと額縁部材９ｂとが戸板の厚み方向の断面で見て対称に前記内周側縦芯材６ａと内周側横芯材７ａの前記突出部ＳＴを表裏面から挟持するように組み付けられて構成され、前記額縁部材９ａと額縁部材９ｂとで前記鏡板８を挟持する挟持部１０を構成している。該挟持部１０は、略クランク状の挟持面を有し、狭面を鏡板挟持面１１とし、広面を前記内周側縦芯材６ａと内周側横芯材７ａを挟持する芯材挟持面１２としている。
【００２６】
このようにして、矩形形状の芯材１の表裏面に接着されて縦框４を構成する表面化粧板２と横框５を構成する表面化粧板３の前記額縁９側の端面の表面側に、縦框４及び横框５の長手方向の全長にわたって切欠段部Ｄ１が形成されている。この切欠段部Ｄ１によって、縦框４、横框５の表面化粧板２、３の裏面側に薄板部が形成されており、該薄板部によって、第１の下側突出部Ｔ１が形成されている。さらに、前記第１の下側突出部Ｔ１の表面側の突出長さが、芯材側の突出長さよりも長くなる向きに、前記第１下側突出部Ｔ１の先端部に第１傾斜面Ｓ１が形成されている。
【００２７】
また、前記額縁９は、前記縦框４及び横框５側の端面の表面側に、額縁９の額縁部材９ａ、９ｂの、長手方向の全長にわたって、切欠段部Ｄ２が形成されている。この切欠段部Ｄ２によって、額縁９の額縁部材９ａ、９ｂの縦框４、横框５側の裏面側に、薄板部が形成されており、該薄板部によって、第２の下側突出部Ｔ２が形成されている。さらに、前記第２の下側突出部Ｔ２の先端部に、前記第１傾斜面Ｓ１に略平行な向きに、第２傾斜面Ｓ２が形成されている。
【００２８】
また、前記第１の下側突出部Ｔ１の厚み寸法は、前記第２の下側突出部Ｔ２の厚み寸法に見合う厚み寸法とされている。
【００２９】
このようにして、前記第１の下側突出部Ｔ１の先端部に形成された第１傾斜面Ｓ１と、前記第２の下側突出部Ｔ２の先端部に形成された第２傾斜面Ｓ２とが互いに当接し、本例では、前記第１下側突出部Ｔ１の表面を溝底部とする凹条溝Ｊ１が形成されている。前記凹条溝Ｊ１の溝底部は、前記第１の下側突出部Ｔ１で構成されるだけでなく、前記第２の下側突出部Ｔ２で構成されていてもよく、また、前記第１の下側突出部Ｔ１と前記第２の下側突出部Ｔ２の両方で構成されていてもよい。
【００３０】
また、同様にして、矩形形状の芯材１の表裏面に接着されて縦框４を構成する表面化粧板２の横框５側の端面の表面側に、縦框４の長手方向に切欠段部Ｄ１１が形成されている。この切欠段部Ｄ１１によって、縦框４の表面化粧板２の横框５側の裏面側に薄板部が形成されており、該薄板部によって、第１の下側突出部Ｔ１１が形成されている。さらに、前記第１の下側突出部Ｔ１１の表面側の突出長さが、芯材側の突出長さよりも長くなる向きに、前記第１の下側突出部Ｔ１１の先端部に第１傾斜面Ｓ１１が形成されている。
【００３１】
また、前記横框５は、前記縦框４側の端面の表面側に、横框の短手方向の端面の全長にわたって、切欠段部Ｄ１２が形成されている。この切欠段部Ｄ１２によって、横框５の短手方向の縦框側の端面の裏面側に、薄板部が形成されており、該薄板部によって、第２の下側突出部Ｔ１２が形成されている。さらに、前記第２の下側突出部Ｔ１２の先端部に、前記第１傾斜面Ｓ１１に略平行な向きに、第２傾斜面Ｓ１２が形成されている。
【００３２】
また、前記第１の下側突出部Ｔ１１の厚み寸法は、前記第２の下側突出部Ｔ１２の厚み寸法に見合う厚み寸法とされている。
【００３３】
このようにして、前記第１の下側突出部Ｔ１１の先端部に形成された第１傾斜面Ｓ１１と、前記第２の下側突出部Ｔ１２の先端部に形成された第２傾斜面Ｓ１２とが互いに当接し、本例では、前記第１下側突出部Ｔ１１の表面を溝底部とする凹条溝Ｊ２が形成されている。前記凹条溝Ｊ２の溝底部は、前記第１の下側突出部Ｔ１１で構成されるだけでなく、前記第２の下側突出部Ｔ１２で構成されていてもよく、また、前記第１の下側突出部Ｔ１１と前記第２の下側突出部Ｔ１２の両方で構成されていてもよい。
【００３４】
すなわち、額縁構造を有する戸板において、本願発明の上記構成によれば、縦框４の表面化粧板２、横框５の表面化粧板３の額縁９側の端面及び縦框４の表面化粧板２の横框５側の端面に表面側からの切欠段部Ｄ１、Ｄ１１を形成し、該切欠段部によって下側突出部Ｔ１、Ｔ１１を形成し、その先端部において、表面側の突出長さが芯材側の突出長さよりも長くなる向きに第１傾斜面Ｓ１、Ｓ１１を形成し、一方、額縁９及び横框５の縦框４、横框５側の端面に表面側から切欠段部Ｄ２、Ｄ１２を形成し、該切欠段部によって下側突出部Ｔ２、Ｔ１２を形成し、その先端部に第１傾斜面Ｓ１、Ｓ１１と略平行な第２傾斜面Ｓ２、Ｓ１２を形成する。
【００３５】
さらに、前記下側突出部Ｔ１とＴ２及び、下側突出部Ｔ１１とＴ１２とが略等しい厚みを有し、前記第１傾斜面Ｓ１と第２傾斜面Ｓ２及び、前記第１傾斜面Ｓ１１と第２傾斜面Ｓ１２とが互いに当接し、前記第１の下側突出部Ｔ１、Ｔ１１及び又は前記第２の下側突出部Ｔ２、Ｔ１２を溝底部とする凹条溝Ｊ１、Ｊ２を形成する構成とされているので、従来からの額縁構造戸板のように、相じゃくり嵌合させる構成ではないので、表向き切欠段部によって形成された裏面側薄板部と裏向き段部の厚さ方向の寸法が等しくならないと、精度よく相じゃくり係合させることが困難になるといった問題が生じない。
【００３６】
また、表向き段部によって形成された裏面側薄板部と裏向き切欠段部及び該裏向き切欠段部によって形成される表面側薄板部の加工精度の誤差が集積されるといったことがなく、従って、戸板の角部において、目地溝を挟んで対向する縦框と横框との間や、縦框及び横框と額縁の間に段差が生じて見苦し見苦しくなり、このため、前記切欠段部、薄板部等の加工において、厳しい加工精度が要求されるといった問題がない。
【００３７】
このように、前記縦框４及び横框５の第１突出部Ｔ１、Ｔ１１による第１傾斜面Ｓ１、Ｓ１１と、前記額縁９及び横框５の短手方向の左右両端面の第２突出部Ｔ２、Ｔ１２による第２傾斜面Ｓ２、Ｓ１２とを当接させ、前記第１突出部Ｔ１、Ｔ１１及び又は前記第２突出部Ｔ２、Ｔ１２の表面を溝底部とする凹状溝Ｊ１、Ｊ２によって、目地溝を形成するようにし、相じゃくり構造としないので、目地溝を挟んで対向する縦框４と横框５との間や縦框４及び横框５と額縁９の間の段差を有効に防止でき、さらには、前記第１傾斜面Ｓ１、Ｓ１１、第２傾斜面Ｓ２、Ｓ１２が傾斜状態で当接しているので、該傾斜当接面で木質材料の吸放湿による伸縮が生じても、目隙が目立ちにくく、木質材料の含水率変動による伸縮によって生じる恐れのある縦框４、横框５と額縁９の間及び縦框４と横框５の間の目隙を有効に防止でき、仕上がり精度及び外観的にも優れ、しかも、製造が容易な額縁構造戸板を安価に提供することができる。
【００３８】
本発明の額縁構造戸板を構成する材料としては、先ず、芯材１には、ラワン、ジョンコンン、メランティ、等の南洋材や、ベイマツ、ベイツガ等の針葉樹材からなる木材無垢、又は直交合板又は平行合板等が好適に用いられる。これらの中では、直交合板、平行合板等が、反りや変形に比較的強く安定している。これらの材料の他、中比重繊維板、パーティクルボード等のボード類を用いることもできる。また、前記合板とボードとの複合材料も好適なものとして例示できる。
【００３９】
また、縦框４及び横框５の表面化粧板２、３の基材としては、前記凹条溝Ｊ１、Ｊ２の溝底面において、溝の長手方向と木繊維方向が同方向となるように、３プライ〜５プライ合板を用いるか、又は、木繊維方向が不定である中比重繊維板等を基材として用いることが凹条溝Ｊ１、Ｊ２の仕上がりにとって好適である。この中でも中比重繊維板を用いる方が前記凹条溝Ｊ１、Ｊ２の溝底面のみならず溝側面の仕上がり向上にとっても好適である。また、基材の厚みは約２．５ｍｍ〜９．０ｍｍ程度が好適である。
【００４０】
また、縦框４、横框５の表面化粧板２、３の基材表面に貼着される化粧材としては、天然銘木の突板や単板、塩ビシート、オレフィン樹脂シート等の樹脂シートに木目柄又は抽象柄を印刷して仕上げた化粧シ−トや、紙シート表面に、木目柄又は抽象柄を印刷して仕上げられた化粧紙等を好適なものとして挙げることができる。
【００４１】
また、前記額縁９の材質は、例えば、合板、集成材、中比重繊維板等の基材に天然銘木からなる突板又は単板を貼着したもの、又は、天然銘木の無垢からなるもの、又は、硬質又は半硬質の合成樹脂成型体、又は、アルミ、ステンレス等の金属製のものなどを好適な材料として挙げることができる。前記突板または無垢として用いる天然銘木の例としては、チーク、カリン、シタン、コクタン、ケヤキ、ナラ、パイン等を好適なものとして例示できる。前記合成樹脂成型体としては、例えば、一例として、硬質又は半硬質の塩ビ樹脂、ウレタン樹脂、ＡＢＳ樹脂、アクリル樹脂、ポリエチレン樹脂、ポリエステル樹脂等を好適なものとして例示できる。しかし、上記の各種材料に限定されるものではない。
【００４２】
また、本発明の額縁構造戸板の他の例として、前記第１傾斜面Ｓ１、Ｓ１１が前記芯材と接する側に隙間が形成されている。また、同様にして、前記第１傾斜面Ｓ２、Ｓ１２が前記芯材と接する側に隙間が形成されている。該隙間によって、接着剤溜まり凹部Ｕが形成されている。
【００４３】
本発明の額縁構造戸板の製造段階において、芯材１の表裏面に表面化粧板２、３を接着したり、また、縦框４及び横框５の内周部から、その一部を突出している芯材の突出部ＳＴに、額縁９を接着する際、接着剤の塗布量が多少多めになっていても、余剰の接着剤はこの接着剤溜まり凹部Ｕに溜まり、接着剤が縦框４と横框５との端部の接合部や、縦框４及び横框５の内周部と額縁９の接合部から溢れ出すことを有効に防止することができる。このようにすることで、仕上がり外観の優れた額縁構造戸板を得ることができる。本例では、前記第２傾斜面Ｓ２、Ｓ１２の下面側に面取部Ｍを形成し、該面取部Ｍと、第１傾斜面Ｓ１、Ｓ１１と、内周側縦芯材６ａ、７ａとで囲まれた部分に、前記接着剤溜まり凹部Ｕが形成されている。前記面取部Ｍの形状は、本例では、テーパー状にカットした形状とされているが、この形状に限定されるものではない。また、接着剤溜まり凹部Ｕの大きさを決めるための、前記面取部Ｍの大きさも、接着剤の溜まり量を勘案して求められる。
【００４４】
また、本例では、接着剤溜まり凹部Ｕの形状は、本例に示すような断面視三角形の形状とされているが、この三角形の形状以外に、円形、半円形、楕円形、半楕円形、矩形、その他、曲線形状等が好適なものとして例示できる。また、接着剤溜まり凹部Ｕの大きさも、接着剤の溜まり量を勘案して求められる。
【図面の簡単な説明】
【００４５】
【図１】本発明の額縁構造戸板の正面図。
【図２】本発明の額縁構造戸板の芯材を示す平面図。
【図３】図１のＡ−Ａ線拡大断面図。
【図４】図１のＢ−Ｂ線拡大断面図。
【図５】図１のＣ−Ｃ線拡大断面図。
【図６】従来例の額縁構造戸板の正面図。
【図７】図６の要部拡大断面図で縦框と横框の接合部を示す。
【図８】図６の要部拡大断面図で縦框又は横框と額縁との接合部を示す。
【符号の説明】
【００４６】
１      芯材
２      縦框の表面化粧板
３      横框の表面化粧板
４      縦框
５      横框
６      縦芯材
６ａ    内周側縦芯材
６ｂ    外周側縦芯材
７      横芯材
７ａ    内周側横芯材
７ｂ    外周側横芯材
８      鏡板
９      額縁
９ａ    額縁部材
９ｂ    額縁部材
１０    挟持部
１１    鏡板挟持面
１２    芯材挟持面
Ｊ１    凹条溝
Ｊ２    凹条溝
ＳＴ    芯材突出部
Ｄ      切欠段部
Ｄ１、Ｄ１１、Ｄ２、Ｄ１２    表面側切欠段部
Ｔ１、Ｔ１１    第１の下側突出部
Ｔ２、Ｔ１２    第２の下側突出部
Ｓ      傾斜面
Ｓ１、Ｓ１１    第１傾斜面
Ｓ２、Ｓ１２    第２傾斜面
Ｍ      面取部
Ｕ      接着剤溜まり凹部
【図１】
2007056510.tif 000003
【図２】
2007056510.tif 000004
【図３】
2007056510.tif 000005
【図４】
2007056510.tif 000006
【図５】
2007056510.tif 000007
【図６】
2007056510.tif 000008
【図７】
2007056510.tif 000009
【図８】
2007056510.tif 000010